(57)【要約】【課題】スペース効率を追求し、しかも、ラックに近接して装着された各電子機器の放熱効率に悪影響を及ぼすことのない電子機器用ラックを提供する。【解決手段】縦向きに配置した複数のサーバー（電子機器）の筐体１０の下側に形成された吸気口が塞がれないように、サーバー用ラック１に、筐体１０に対応した開口部３を有する空隙形成部材２を設ける。また、サーバー用ラック１を上下方向に積み重ねても、筐体１０の上側に形成された排気口が塞がれないようにする。【選択図】図２
2006066476.tif 000002
【特許請求の範囲】
【請求項１】
４つの側面と２つの天面とからなる直方体状の筐体を備え、前記筐体の対向する２つの前記側面に、吸気口及び排気口がそれぞれ形成された電子機器を複数台装着可能な電子機器用ラックであって、
前記吸気口及び前記排気口が塞がれないように、空隙形成部材が設けられている
ことを特徴とする電子機器用ラック。
【請求項２】
請求項１に記載の電子機器用ラックにおいて、
前記吸気口と前記排気口とが千鳥配置されており、
前記空隙形成部材は、前記吸気口の空隙形成部と、前記排気口の空隙形成部とからなる
ことを特徴とする電子機器用ラック。
【請求項３】
請求項１又は請求項２に記載の電子機器用ラックにおいて、
前記吸気口と前記排気口とが千鳥配置されており、
前記空隙形成部材は、隣接する一方の前記電子機器の前記吸気口と、他方の前記電子機器の前記排気口との間を仕切るクランク形状となっている
ことを特徴とする電子機器用ラック。
【請求項４】
請求項１から請求項３までのいずれか１項に記載の電子機器用ラックにおいて、
各前記電子機器を縦向きに配置可能である
ことを特徴とする電子機器用ラック。
【請求項５】
請求項１から請求項３までのいずれか１項に記載の電子機器用ラックにおいて、
各前記電子機器を横向きに配置可能である
ことを特徴とする電子機器用ラック。
【発明の詳細な説明】
【技術分野】
【０００１】
本発明は、サーバー等として使用されるコンピュータ等の電子機器を複数台装着可能な電子機器用ラックに関し、特に、スペース効率に優れ、しかも、ラックに近接して装着された各電子機器の放熱効率に悪影響を及ぼすことのない電子機器用ラックに関するものである。
【背景技術】
【０００２】
近年、例えばサーバー等のコンピュータにおいては、高性能化とともに小型化の要請が著しく高くなっている。すなわち、コンピュータの小型化は、複数台のコンピュータを並べてサーバーとした場合の省スペース化に寄与し、設置の自由度が増えるという利点を有しており、機種選択の重要な要素となっている。
【０００３】
一方、コンピュータを小型化すると、コンピュータの筐体内の放熱対策が重要となってくる。すなわち、小型化により、コンピュータの筐体内における空気の流れの阻害要因が増えるので、特に、動作の信頼性を第一とするサーバーでは、筐体内の放熱を保証できない構造で小型化することはできない。
【０００４】
そこで、コンピュータ等の電子機器がどのように設置されても、十分な吸気口及び排気口を確保することができるようにし、内部の放熱効率を高めた電子機器の筐体が知られている（例えば、特許文献１参照）。
【特許文献１】特開２００２−２８０７７７号公報
【０００５】
上記の特許文献１に記載の技術によれば、電子機器の筐体は、筐体の本体と、本体を覆うカバーとから構成された２重構造体となっており、本体の内部に、マザーボード等が装着される。そして、本体の一側面には、本体内を冷却するファンを取り付けるための略円形状の吸気口が形成され、この側面に対向する反対側の他の側面には、スリット状の開口部を複数並設した排気口が形成されている。
【０００６】
また、カバーを構成する上カバー及び下カバーにも、吸気口及び排気口が形成されている。そして、カバーの外形は、本体の外形よりも大きくなっているので、本体をカバーで覆った場合、カバーの４隅には、本体との間で開口部が形成されることとなる。そして、この開口部もまた、吸気口及び排気口として機能する。
【０００７】
さらに、カバーの４か所には、それぞれコ字形の脚部が取り付けられている。この４つの脚部は、カバーの上カバーと下カバーとを固定するものであるが、４つの脚部により、電子機器をどのように設置しても、カバーの吸気口及び排気口が塞がれないようになっている。そのため、常に十分な吸気性及び排気性が確保されることとなり、本体内の熱が効率的に放熱される。
【発明の開示】
【発明が解決しようとする課題】
【０００８】
このように、上記の特許文献１に記載の技術によれば、電子機器の筐体が小型化されたとしても、優れた放熱効率を得ることができる。しかし、特許文献１に記載の技術では、複数台の電子機器を並べて配置した場合のスペース効率において、必ずしも十分なものとは言えない。
【０００９】
すなわち、電子機器の筐体における本体内の吸気性及び排気性は、カバーの吸気口及び排気口と、カバーの吸気口及び排気口が塞がれないようにする４つの脚部とによって確保されている。そのため、複数の電子機器を並べて配置すると、隣接する電子機器同士のカバー及び脚部の幅分だけ、余分なスペースが必要となってしまう。
【００１０】
したがって、本発明が解決しようとする課題は、サーバー等として好適に使用されるコンピュータ等の電子機器を複数台装着可能な電子機器用ラックにおいて、スペース効率を追求し、しかも、ラックに近接して装着された各電子機器の放熱効率に悪影響を及ぼすことのない電子機器用ラックを提供することである。
【課題を解決するための手段】
【００１１】
本発明は、以下の解決手段によって、上述の課題を解決する。
請求項１の発明は、４つの側面と２つの天面とからなる直方体状の筐体を備え、前記筐体の対向する２つの前記側面に、吸気口及び排気口がそれぞれ形成された電子機器を複数台装着可能な電子機器用ラックであって、前記吸気口及び前記排気口が塞がれないように、空隙形成部材が設けられていることを特徴とする。
【００１２】
請求項２の発明は、請求項１に記載の電子機器用ラックにおいて、前記吸気口と前記排気口とが千鳥配置されており、前記空隙形成部材は、前記吸気口の空隙形成部と、前記排気口の空隙形成部とからなることを特徴とする。
【００１３】
請求項３の発明は、請求項１又は請求項２に記載の電子機器用ラックにおいて、前記吸気口と前記排気口とが千鳥配置されており、前記空隙形成部材は、隣接する一方の前記電子機器の前記吸気口と、他方の前記電子機器の前記排気口との間を仕切るクランク形状となっていることを特徴とする。
【００１４】
請求項４の発明は、請求項１から請求項３までのいずれか１項に記載の電子機器用ラックにおいて、各前記電子機器を縦向きに配置可能であることを特徴とする。
【００１５】
請求項５の発明は、請求項１から請求項３までのいずれか１項に記載の電子機器用ラックにおいて、各前記電子機器を横向きに配置可能であることを特徴とする。
【００１６】
上記の各発明においては、電子機器用ラックに、電子機器の筐体の側面に形成された吸気口及び排気口が塞がれないようにする空隙形成部材が設けられている。そのため、上記の特許文献１に記載の技術のように、カバーや脚部を必要とすることなく、複数の電子機器を並べて配置した場合の十分な吸気性及び排気性が確保される。
【００１７】
ここで、電子機器の筐体内の熱を効率的に外部に放熱させるには、吸気口と排気口とを千鳥配置とし、筐体内の全体に渡って冷却風が通過するようにすることが好ましい。そして、この場合の空隙形成部材は、吸気口の空隙形成部と、排気口の空隙形成部との２つの部分で構成することができる。また、この場合の空隙形成部材は、隣接する一方の電子機器の吸気口と、他方の電子機器の排気口との間を仕切るクランク形状とすることが好ましい。
【００１８】
なお、電子機器用ラック内に装着する複数台の各電子機器は、縦向きにして配置することも、横向きにして配置することもできる。すなわち、電子機器用ラックの設置場所の状況に応じて各電子機器の向きを決定すれば良い。そして、本発明の電子機器用ラックは、どのような向きに電子機器を配置しても、各電子機器の十分な吸気性及び排気性が確保される。
【発明の効果】
【００１９】
本発明の電子機器用ラックによれば、電子機器の筐体の側面に形成された吸気口及び排気口が塞がれないようにする空隙形成部材が設けられているので、各電子機器をラック内に近接して配置することができる。そのため、スペース効率に優れ、しかも、ラックに装着された各電子機器の放熱効率に悪影響を及ぼすことのない電子機器用ラックとすることができる。
【発明を実施するための最良の形態】
【００２０】
以下、図面を参照して、本発明の一実施形態について説明する。
なお、以下の実施形態では、本発明の電子機器用ラックの一実施形態として、サーバーとして使用されるコンピュータを複数台装着するためのサーバー用ラックを例に挙げて説明する。
【００２１】
図１は、本実施形態のサーバー用ラックに装着するサーバーの筐体１０内を示す分解斜視図である。
図１に示すように、筐体１０の一方の天面には、マザーボード４０が下向きの矢印のようにして装着されるようになっている。すなわち、筐体１０に設けられた４つの突起１６がマザーボード４０の装着ガイドとなり、各突起１６と各溝４１とがそれぞれ嵌まり合ってマザーボード４０が装着される。なお、このマザーボード４０には、ＣＰＵ４２、メモリ４３、ハードウェアＲＡＩＤコントローラであるドーターボード４４が取り付けられている。
【００２２】
また、筐体１０の他方の天面（底面）には、電源ボード５０が装着されている。そのため、マザーボード４０を装着すると、マザーボード４０と電源ボード５０とが上下２層の配置となるので、スペース効率に非常に優れたものとなっている。
【００２３】
ここで、筐体１０は、４つの側面と２つの天面とからなる直方体状のものであり、その一側面１０ａには、筐体１０内を冷却するファン（図示せず）を取り付けるための略円形状の吸気口１１が形成されている。一方、この側面１０ａに対向する反対側の側面１０ｂには、スリット状の開口部を複数並設した排気口１２が形成されており、筐体１０内の熱を外部に逃がすことができるようになっている。
【００２４】
また、筐体１０の他の側面１０ｃは、ＲＳ２３２Ｃ、ＵＳＢ、ＬＡＮ、ＩＥＥＥ１３９４等のインターフェースの各コネクタ端子（図示せず）が設けられる接続端子面となっている。一方、側面１０ｃに対向する側面１０ｄは、ハードディスク７０の挿入面であるとともに、ＡＣ電源口（図示せず）の形成面となっている。
【００２５】
そして、筐体１０の内部には、２台のハードディスク７０をケーブルレスで直接装着できるライザーカード６０が設置されている。このライザーカード６０は、天面に装着するマザーボード４０に対して垂直な方向となっており、マザーボード４０と平行な方向に、２台のハードディスク７０を装着できるものである。なお、ハードディスク７０の装着に際しては、筐体１０の側面１０ｄから右下向き矢印の方向にハードディスク７０を挿入すれば良い。
【００２６】
このようなサーバーにおいて、吸気口１１に取り付けられたファン（図示せず）によって筐体１０内に吸入された冷却風は、一方の天面に装着されたマザーボード４０と、他方の天面に装着された電源ボード５０との間を通り、排気口１２から排出される。また、冷却風の一部は、ダクト１５によって分流され、ハードディスク７０に向けて送風されて、ハードディスク７０の表面を通って排出される。そのため、マザーボード４０、電源ボード５０、及びハードディスク７０で発生した熱は、効率的に、筐体１０外に放熱されることとなる。
【００２７】
図２は、本実施形態のサーバー用ラック１を示す斜視図である。
図２に示すように、サーバー用ラック１には、サーバーとして使用されるコンピュータが６台装着され、各コンピュータの筐体１０は、縦向きに配置されている。そして、このサーバー用ラック１には、６台のコンピュータの各筐体１０に対応した開口部３を有する空隙形成部材２が設けられており、サーバー用ラック１を上下方向に積み重ねることができるようになっている。
【００２８】
図３は、本実施形態のサーバー用ラック１を示す正面図である。
また、図４は、図３に示すサーバー用ラック１の平面図である。なお、図４では、サーバー用ラック１に装着された６台のコンピュータ中、端部の１台の筐体１０のみを図示しており、他の５台の図示を省略してある。
【００２９】
図３に示すように、サーバー用ラック１には、６台のコンピュータの各筐体１０が近接して装着されている。ここで、各筐体１０の向きは、図１に示す側面１０ａが下側で、側面１０ｂが上側となっている。そして、側面１０ａ（図１参照）側に空隙形成部材２が設けられ、それぞれの筐体１０に対応して開口部３が形成されている。一方、上側となっている側面１０ｂでは、サーバー用ラック１が積み重ねられていない場合、図４に示すように、排気口１２が露出した状態となる。
【００３０】
図５は、本実施形態のサーバー用ラック１を示す側面図である。なお、図５では、サーバー用ラック１を上下方向に積み重ねた場合の上側の空隙形成部材２も図示してある。
図５に示すように、サーバー用ラック１に装着されたコンピュータの筐体１０は、縦向きに配置した際に下側となる側面１０ａの吸気口１１と、上側となる側面１０ｂの排気口１２（図４参照）の一部（奥側）とが千鳥配置となっている。
【００３１】
そして、空隙形成部材２は、吸気口１１の空隙形成部２ａと、排気口１２（図４参照）の一部（奥側）の空隙形成部２ｂとからなるクランク形状となっており、サーバー用ラック１を上下方向に積み重ねた場合に、一方のコンピュータにおける筐体１０の吸気口１１と、他方のコンピュータにおける筐体の排気口（図示せず）との間を仕切り２ｃで仕切っている。そのため、筐体１０の吸気口１１と排気口１２（図４参照）とは、空隙形成部材２の存在により、塞がれることがない。
【００３２】
したがって、図５に示すように、下側の空隙形成部材２の開口部３（図３参照）から矢印のように流入した空気は、空隙形成部２ａ及び仕切り２ｃによって導かれ、側面１０ａの吸気口１１から筐体１０内に吸入される。また、筐体１０内の空気は、千鳥配置の上側にある側面１０ｂの排気口１２（図４参照）から排出され、上側の空隙形成部材２の仕切り２ｃ及び空隙形成部２ｂによって導かれ、上側の矢印のように、筐体１０外に排出される。
【００３３】
このように、図２から図５に示すサーバー用ラック１は、コンピュータの筐体１０の下側に位置する空隙形成部材２の存在により、筐体１０の吸気口１１及び排気口１２が塞がれることはない。そのため、筐体１０内の全体に渡って冷却風が通過することとなり、その結果、筐体１０の内部が効果的に冷却される。
【００３４】
また、サーバー用ラック１に６台のコンピュータを近接して縦向きに配置することができるので、スペース効率に優れたものとなっている。さらに、サーバー用ラック１を上下方向に積み重ねた場合であっても、各コンピュータに対する十分な吸気性及び排気性が確保される。なお、サーバー用ラック１を左右方向に並べた場合であっても、各コンピュータに対する十分な吸気性及び排気性が確保される。
【００３５】
図６は、他の実施形態のサーバー用ラック１を示す正面図である。
また、図７は、図６に示すサーバー用ラック１の平面図である。
さらに、図８は、図６に示すサーバー用ラック１の側面図である。
【００３６】
図６から図８に示すサーバー用ラック１には、サーバーとして使用されるコンピュータが２台並べて装着されており、２台のコンピュータの各筐体１０は、横向きに配置されている。そして、このサーバー用ラック１には、筐体１０の左右両側に、開口部３を有する空隙形成部材２が設けられている。なお、このサーバー用ラック１は、上下方向に積み重ねることができる。
【００３７】
ここで、空隙形成部材２は、筐体１０の側面１０ａに形成された吸気口１１の空隙形成部２ａと、側面１０ｂに形成された排気口１２（図１参照）の空隙形成部２ｂとからなるクランク形状となっており、左側のコンピュータにおける筐体１０の吸気口１１と、右側のコンピュータにおける筐体１０の排気口１２（図１参照）との間を仕切り２ｃで仕切っている。そのため、筐体１０の吸気口１１と排気口１２（図１参照）とは、空隙形成部材２の存在により、塞がれることがない。
【００３８】
したがって、図７に示すように、空隙形成部材２の手前側の開口部３（図６参照）から矢印のように流入した空気は、空隙形成部２ａ及び仕切り２ｃによって導かれ、側面１０ａの吸気口１１から筐体１０内に吸入される。また、筐体１０内の空気は、側面１０ｂの千鳥配置の排気口１２（図１参照）から排出され、筐体１０の左側に位置する空隙形成部材２の仕切り２ｃ及び空隙形成部２ｂによって導かれ、奥側の矢印のように、筐体１０外に排出される。
【００３９】
このように、図６から図８に示すサーバー用ラック１も、コンピュータの筐体１０の両側に位置する空隙形成部材２の存在により、筐体１０の吸気口１１及び排気口１２が塞がれることはない。そのため、筐体１０内の全体に渡って冷却風が通過することとなり、その結果、筐体１０の内部が効果的に冷却される。
【００４０】
また、サーバー用ラック１に２台のコンピュータを近接して横向きに配置することができるので、スペース効率に優れたものとなっている。さらに、サーバー用ラック１を上下方向に積み重ねた場合であっても、各コンピュータに対する十分な吸気性及び排気性が確保される。なお、サーバー用ラック１を左右方向に並べた場合であっても、各コンピュータに対する十分な吸気性及び排気性が確保される。
【００４１】
以上、本発明の一実施形態について説明したが、本発明は、上述した実施形態に限定されることなく、例えば以下のような種々の変形が可能である。
（１）本実施形態では、電子機器としてサーバーを例に挙げたが、これに限られるものではない。例えば他の電子機器として、パーソナルコンピュータ、オーディオ機器のアンプ、情報記録媒体（ＣＤ、ＤＶＤ、ＭＤ等）の情報読取り装置が挙げられ、これらの電子機器についても本発明を適用することができる。
【００４２】
（２）本実施形態では、サーバー用ラック１が１段となっているが、これに限られるものではない。例えばサーバー用ラック１を上下方向に積み重ね、より大規模な構成にしても、装着された各サーバーの放熱効率に悪影響を及ぼすことはない。また、サーバー用ラック１は、左右方向に並べることもできる。
【産業上の利用可能性】
【００４３】
本発明の電子機器用ラックは、スペース効率に優れ、しかも、ラックに近接して装着された各電子機器の放熱効率に悪影響を及ぼすことがないので、サーバー用ラック等として広く適用することができる。
【図面の簡単な説明】
【００４４】
【図１】本実施形態のサーバー用ラックに装着するサーバーの筐体１０内を示す分解斜視図である
【図２】本実施形態のサーバー用ラック１を示す斜視図である。
【図３】本実施形態のサーバー用ラック１を示す正面図である。
【図４】本実施形態のサーバー用ラック１を示す平面図である。
【図５】本実施形態のサーバー用ラック１を示す側面図である。
【図６】他の実施形態のサーバー用ラック１を示す正面図である。
【図７】他の実施形態のサーバー用ラック１を示す平面図である。
【図８】他の実施形態のサーバー用ラック１を示す側面図である。
【符号の説明】
【００４５】
１  サーバー用ラック
２  空隙形成部材
２ａ，２ｂ  空隙形成部
２ｃ  仕切り
３  開口部
１０  筐体
１０ａ，１０ｂ，１０ｃ，１０ｄ  側面
１１  吸気口
１２  排気口
１５  ダクト
１６  突起
４０  マザーボード
４１  溝
４２  ＣＰＵ
４３  メモリ
４４  ドーターボード
５０  電源ボード
６０  ライザーカード
７０  ハードディスク                                                          
【図１】
2006066476.tif 000003
【図２】
2006066476.tif 000004
【図３】
2006066476.tif 000005
【図４】
2006066476.tif 000006
【図５】
2006066476.tif 000007
【図６】
2006066476.tif 000008
【図７】
2006066476.tif 000009
【図８】
2006066476.tif 000010